(57)【要約】      （修正有）【課題】単一設備内でＤＮＡ抽出と分析の作業が終了し、核酸液が汚染される可能性が低いアナライザーを提供する。【解決手段】アナライザーは、アナライザーハウジング１、アナライザーカバー、第一圧力供給モジュール３、散熱モジュール４１、分析モジュール５、第二圧力供給モジュール、圧力分配モジュール、および、ノズルユニットを有する。アナライザーハウジングは、散熱領域、および、分析領域を有する。アナライザーカバーは、アナライザーハウジングに枢接される。第一圧力供給モジュールは、アナライザーハウジングに設置される。散熱モジュールは、アナライザーハウジング中に設置され、散熱領域に位置する。分析モジュールは、アナライザーハウジング中に設置され、分析領域に位置する。第二圧力供給モジュール、圧力分配モジュールとノズルユニットは、ともにアナライザーカバー中に設置される。【選択図】図３Ｂ
0003220459.tif 000002
【実用新案登録請求の範囲】
【請求項１】
カセット内のサンプルを分析するアナライザーであって、
散熱領域、および、分析領域を有するアナライザーハウジングと、
前記アナライザーハウジングに枢接されるアナライザーカバーと、
前記アナライザーハウジング中に設置される第一圧力供給モジュールと、
前記アナライザーハウジング中に設置されるとともに、前記散熱領域に位置する散熱モジュールと、
前記アナライザーハウジング中に設置されるとともに、前記分析領域に位置する分析モジュールと、
前記アナライザーカバー中に設置される第二圧力供給モジュールと、
前記アナライザーカバー中に設置され、前記第一圧力供給モジュール、および、前記第二圧力供給モジュールが連通する圧力分配モジュールと、 
前記アナライザーカバーに設置され、前記圧力分配モジュールに連通するノズルユニットと、
前記アナライザーハウジング中に設置されるとともに、前記散熱領域に位置して、気流を提供し、前記気流が、前記散熱モジュールを通過するファンと、
を有し、
前記アナライザーハウジングは仕切りを有し、前記仕切りは、前記散熱領域と前記分析領域を隔て、前記仕切りは仕切り開口を有し、前記散熱モジュールが前記仕切りと接続するとともに、前記仕切り開口を被覆し、
前記分析モジュールは、第一加熱器、および、第二加熱器を有し、前記第一加熱器は前記アナライザーハウジングに設置され、前記第二加熱器は前記散熱モジュールに設置され、
前記分析モジュールは、さらに、分析ベースを有し、前記第二加熱器は、前記分析ベースを加熱するとともに、前記カセットは前記分析ベースに挿入し、前記カセットはサンプルチャンバを有し、前記第一加熱器は前記サンプルチャンバを加熱し、
前記分析モジュールは、さらに、光源ユニット、受光ユニット、および、回路板を有し、前記受光ユニットは前記回路板と結合し、前記光源ユニットは、少なくとも一つの分析光線を提供し、前記分析光線は前記カセットを通過して、受光ユニットに進入し、
前記分析モジュールは、さらに、動力源、および、伝動ユニットを有し、前記動力源は前記伝動ユニットと接続し、前記伝動ユニットは前記光源ユニットと接続し、前記伝動ユニットは、前記光源ユニットを平行方向に沿って移動させ、
前記第一圧力供給モジュールは、メイン陽圧ポンプ、および、メイン陰圧ポンプを有し、前記第二圧力供給モジュールは、サブ陽圧ポンプ、および、サブ陰圧ポンプを有し、
前記アナライザーカバーは、さらに、複数の凸柱、および、グリップを有し、前記グリップは、第一グリップ位置、および、第二グリップ位置の間で旋転して、前記ノズルユニットを前記凸柱に対し平行にすることを特徴とするアナライザー。
【請求項２】
前記アナライザーハウジングにはスロットが形成され、前記第一圧力供給モジュールが前記スロット中に設置され、前記散熱領域が前記スロットと前記分析領域の間に位置することを特徴とする請求項１に記載のアナライザー。
【請求項３】
前記分析モジュールは、さらに、演算増幅器、および、金属カバーを有し、前記演算増幅器は前記回路板に設置され、前記金属カバーは前記演算増幅器を被覆することを特徴とする請求項１に記載のアナライザー。
【請求項４】
前記メイン陽圧ポンプは、３０ｋｐａより大きい第一圧力を提供し、前記メイン陰圧ポンプは、-６０ｋｐａより小さい第二圧力を提供することを特徴とする請求項１に記載のアナライザー。
【請求項５】
前記サブ陽圧ポンプは、１０ｋｐａより小さい第三圧力を提供し、前記サブ陰圧ポンプは、-１０ｋｐａより大きい第四圧力を提供することを特徴とする請求項１に記載のアナライザー。
【請求項６】
さらに、流量計、圧力計、緩衝チャンバを有し、前記圧力分配モジュールは、チャネル、および、分配電磁弁を有し、前記分配電磁弁は、前記チャネルと前記ノズルユニットの間に設置され、前記緩衝チャンバは、前記チャネルと前記流量計の間に設置され、前記圧力計は前記流量計に連通し、前記第一圧力供給モジュールは、前記チャネル、および、圧力計と接続し、前記第二圧力供給モジュールは、前記チャネル、および、圧力計と接続することを特徴とする請求項１に記載のアナライザー。
【考案の詳細な説明】
【技術分野】
【０００１】
本考案は、アナライザーに関するものであって、特に、抽出、および、分析機能を提供するアナライザーに関するものである。
【背景技術】
【０００２】
従来の核酸分析方法は、サンプルを抽出設備に入れて抽出を実行し、さらに、抽出完成の核酸液を分析設備中に入れて分析する。従来の抽出設備、および、分析設備はサイズが大きいだけでなく、高価である。抽出設備、および、分析設備の操作は経験豊富な人員が必要である。また、核酸液を、抽出設備から分析設備に運ぶ過程で、アクシデントにより核酸液が汚染されやすく、分析結果が正確といえない。
【考案の概要】
【考案が解決しようとする課題】
【０００３】
本考案は、従来の問題を解決するアナライザーを提供することを目的とする。
【課題を解決するための手段】
【０００４】
本考案は、カセット内のサンプルを分析するアナライザーを提供する。アナライザーは、アナライザーハウジング、アナライザーカバー、第一圧力供給モジュール、散熱モジュール、分析モジュール、第二圧力供給モジュール、圧力分配モジュール、および、ノズルユニットを有する。アナライザーハウジングは、散熱領域、および、分析領域を有する。アナライザーカバーは、アナライザーハウジングに枢接される。第一圧力供給モジュールは、アナライザーハウジング中に設置される。散熱モジュールは、アナライザーハウジング中に設置されるとともに、散熱領域に位置する。分析モジュールは、アナライザーハウジング中に設置されるとともに、分析領域に位置する。第二圧力供給モジュールと圧力分配モジュールは、アナライザーカバー中に設置される。第一圧力供給モジュール、および、第二圧力供給モジュールは、圧力分配モジュールに連通している。ノズルユニットはアナライザーカバーに設置され、ノズルユニットは、圧力分配モジュールに連通している。
【０００５】
一実施形態において、アナライザーは、さらに、ファンを有する。ファンは、アナライザーハウジング中に設置されるとともに、散熱領域に位置する。ファンは気流を提供し、気流は、散熱モジュールを通過する。
【０００６】
一実施形態において、アナライザーハウジングにはスロットが形成され、第一圧力供給モジュールが、スロット中に設置される。散熱領域は、スロットと分析領域の間に位置する。
【０００７】
一実施形態において、アナライザーハウジングは仕切りを有し、仕切りは、散熱領域と分析領域を隔てる。仕切りは仕切り開口を有し、散熱モジュールが仕切りと接続するとともに、仕切り開口を被覆する。
【０００８】
一実施形態において、分析モジュールは、第一加熱器、および、第二加熱器を有する。第一加熱器は、アナライザーハウジングに設置され、第二加熱器は散熱モジュールに設置される。
【０００９】
一実施形態において、分析モジュールは、さらに、分析ベースを有し、第二加熱器が、分析ベースを加熱する。カセットは、分析ベースに挿入する。カセットはサンプルチャンバを有し、第一加熱器は、サンプルチャンバを加熱する。
【００１０】
一実施形態において、分析モジュールは、さらに、光源ユニット、受光ユニット、および、回路板を有する。受光ユニットは回路板と結合し、光源ユニットは、少なくとも一つの分析光線を提供する。分析光線は、カセットを通過して、受光ユニットに進入する。
【００１１】
一実施形態において、分析モジュールは、さらに、演算増幅器、および、金属カバーを有する。演算増幅器は回路板に設置される。金属カバーは、演算増幅器を被覆する。
【００１２】
一実施形態において、分析モジュールは、さらに、動力源、および、伝動ユニットを有する。動力源は伝動ユニットと接続する。伝動ユニットは、光源ユニットと接続する。伝動ユニットは、光源ユニットを、平行方向に移動させる。
【００１３】
一実施形態において、第一圧力供給モジュールは、メイン陽圧ポンプ、および、メイン陰圧ポンプを有する。第二圧力供給モジュールは、サブ陽圧ポンプ、および、サブ陰圧ポンプを有する。
【００１４】
アナライザーカバーは、さらに、複数の凸柱、および、グリップを有し、グリップは、第一グリップ位置、および、第二グリップ位置の間で旋転して、ノズルユニットを凸柱に対し平行にする。
【００１５】
一実施形態において、メイン陽圧ポンプは、３０ｋｐａより大きい第一圧力を提供する。メイン陰圧ポンプは、-６０ｋｐａより小さい第二圧力を提供する。
【００１６】
一実施形態において、サブ陽圧ポンプは、１０ｋｐａより小さい第三圧力を提供し、サブ陰圧ポンプは、-１０ｋｐａより大きい第四圧力を提供する。
【００１７】
一実施形態において、アナライザーは、さらに、流量計、圧力計、緩衝チャンバを有する。圧力分配モジュールは、チャネル、および、分配電磁弁を有する。分配電磁弁は、チャネルとノズルユニットの間に設置され、緩衝チャンバは、チャネルと流量計の間に設置される。圧力計は流量計に連通し、第一圧力供給モジュールは、チャネル、および、圧力計と接続し、第二圧力供給モジュールは、チャネル、および、圧力計と接続する。
【００１８】
本考案の実施形態において、第一圧力供給モジュール、第二圧力供給モジュール、圧力分配モジュール、および、ノズルユニットにより、カセットに圧力を提供するとともに、第一加熱器によりカセットを加熱して、カセット内のサンプルのＤＮＡ抽出を完成させ、分析のための核酸液を提供する。続いて、分析モジュールにより、核酸液を繰り返し加熱するとともに、光学分析を実行する。
【考案の効果】
【００１９】
本考案の実施形態によるアナライザーを応用すると、単一設備内で、ＤＮＡ抽出と分析の作業を完成させることができ、アナライザーのサイズが減少し、コストも減少する。抽出設備を操作する者が容易に培養できる。且つ、単一設備内でＤＮＡ抽出と分析の作業が終了するので、核酸液が汚染される可能性が低い。
【図面の簡単な説明】
【００２０】
【図１Ａ】本考案の実施形態によるアナライザーカバーがアナライザーハウジングに対して第一位置にあるアナライザーの立体図である。
【図１Ｂ】本考案の実施形態によるアナライザーカバーがアナライザーハウジングに対して第二位置にあるアナライザーの立体図である。
【図２】本考案の実施形態によるカセットを示す図である。
【図３Ａ】本考案の実施形態によるアナライザーハウジングの部分構造を示す断面図である。
【図３Ｂ】本考案の実施形態によるアナライザーハウジング内の部分構造を示す図である。
【図４Ａ】本考案の実施形態によるアナライザーカバー内の各部分の構造を示す図である。
【図４Ｂ】本考案の実施形態によるアナライザーカバーの主要素子を示す図である。
【図５Ａ】本考案の実施形態による分析モジュールの細部構造を示す図である。
【図５Ｂ】本考案の実施形態による分析モジュールの細部構造を示す図である。
【図６】本考案の実施形態によるアナライザーの部分構造を示すブロック図である。
【図７Ａ】本考案の実施形態によるアナライザーカバーの凸柱を示す図である。
【図７Ｂ】本考案の実施形態によるアナライザーカバーを開く工程を示す図である。
【図７Ｃ】本考案の実施形態によるアナライザーカバーを開く工程を示す図である。
【図７Ｄ】本考案の実施形態によるアナライザーカバーを開く工程を示す図である。
【考案を実施するための形態】
【００２１】
図１Ａは、本考案の実施形態によるアナライザーの立体図である。図２は、本考案の実施形態によるカセットを示す図である。図１Ａ、図２を併せて参照すると、本考案の実施形態によるアナライザーは、カセットＣ内のサンプル(図示されていない)を分析する。アナライザーＡは、アナライザーハウジング１、アナライザーカバー２、第一圧力供給モジュール３(図１Ａ、図２において、図示されていない)、散熱モジュール４１(図１Ａ、図２において、図示されていない)、分析モジュール５(図１Ａ、図２において、図示されていない)、第二圧力供給モジュール６(図１Ａ、図２において、図示されていない)、圧力分配モジュール７(図１Ａ、図２において、図示されていない)、および、ノズルユニット８(図１Ａ、図２において、図示されていない)を有する。
【００２２】
図１Ｂは、本考案の実施形態によるアナライザーの立体図である。アナライザーカバー２は、アナライザーハウジング１に対し、第二位置にある。図１Ａ、図１Ｂを併せて参照すると、この実施形態において、アナライザーカバー２は、アナライザーハウジング１に対して、第一位置(図１Ａ)と第二位置(図１Ｂ)の間で旋転し、よって、カセットＣをアナライザーＡ中に挿入して分析する。
【００２３】
図３Ａは、本考案の実施形態によるアナライザーハウジング１の部分構造の断面図である。図３Ｂは、本考案の実施形態によるアナライザーハウジング１内の部分構造を示す図である。図３Ａ、図３Ｂを併せて参照すると、アナライザーハウジング１は、散熱領域１１、および、分析領域１２を有する。アナライザーカバー２は、アナライザーハウジング１に枢接される。第一圧力供給モジュール３は、アナライザーハウジング１に設置される。散熱モジュール４１は、アナライザーハウジング１中に設置されるとともに、散熱領域１１に位置する。分析モジュール５は、アナライザーハウジング１中に設置されるとともに、分析領域１２に位置する。
【００２４】
図４Ａは、本考案の実施形態によるアナライザーカバー２内の各部分の構造を示す図である。図４Ｂは、本考案の実施形態によるアナライザーカバー２の主要素子を示す図である。図４Ａ、図４Ｂを併せて参照すると、第二圧力供給モジュール６と圧力分配モジュール７が、アナライザーカバー２中に設置される。第一圧力供給モジュール３、および、第二圧力供給モジュール６は、圧力分配モジュール７に連通する。ノズルユニット８が、アナライザーカバー２に設置され、ノズルユニット８は、圧力分配モジュール７に連通する。
【００２５】
図３Ａ、図３Ｂを参照すると、一実施形態において、アナライザーＡは、さらに、ファン４２を有する。ファン４２は、アナライザーハウジング中に設置されるとともに、散熱領域１１に位置し、ファン４２は気流４０１を提供し、気流４０１は、散熱モジュール４１を通過する。よって、分析モジュール５が生成する熱が快速に除去される。
【００２６】
図３Ａ、図３Ｂを参照すると、一実施形態において、アナライザーハウジング１には、スロット１３が形成される。第一圧力供給モジュール３は、スロット１３中に設置され、散熱領域１１は、スロット１３と分析領域１２の間に位置する。一実施形態において、スロット１３は、第一圧力供給モジュール３と散熱領域１１を隔てる。よって、第一圧力供給モジュール３が生成する騒音と振動が十分に隔てられ隔離される。
【００２７】
図３Ａを参照すると、一実施形態において、アナライザーハウジング１は仕切り１４を有し、仕切り１４は、散熱領域１１と分析領域１２を区切る。仕切り１４は、仕切り開口１４１を有し、散熱モジュール４１は、仕切り１４と接続するとともに、仕切り開口１４１を被覆する。これにより、散熱領域１１と分析領域１２が、しっかりと区切られる。
【００２８】
図５Ａ、図５Ｂは、本考案の実施形態による分析モジュールの細部構造を示す図である。図５Ａを参照すると、分析モジュール５は、第一加熱器５１１、および、第二加熱器５１２を有する。第一加熱器５１１は、アナライザーハウジング１に設置され、第二加熱器５１２は散熱モジュール４１に設置される。図３Ａを併せて参照すると、一実施形態において、第二加熱器５１２は、仕切り開口１４１により、散熱モジュール４１と接続する。
【００２９】
図５Ａ、図５Ｂを参照すると、一実施形態において、分析モジュール５は、さらに、分析ベース５２を有し、第二加熱器５１２が分析ベース５２を加熱する。カセットは分析ベース５２に挿入し、カセットは、サンプルチャンバを有する。第一加熱器５１１は、サンプルチャンバを加熱する。この実施形態において、第一加熱器５１１は、カセットＣのサンプルチャンバを間接的に加熱する。
【００３０】
図５Ａ、図５Ｂを参照すると、一実施形態において、分析モジュール５は、更に、光源ユニット５３１、受光ユニット５３２、および、回路板５３３を有する。受光ユニット５３２は回路板５３３と結合し、光源ユニット５３１は、少なくとも一つの分析光線を提供し、分析光線は、カセットＣを通過して、受光ユニット５３２に進入する。
【００３１】
図５Ａ、図５Ｂを参照すると、一実施形態において、分析モジュール５は、さらに、演算増幅器５３４、および、金属カバー５３５を有する。演算増幅器５３４は、回路板５３３に設置される。金属カバー５３５は演算増幅器５３４を被覆し、これにより、電磁波の干渉を減少させることができる。
【００３２】
図５Ａ、図５Ｂを参照すると、一実施形態において、分析モジュールは、さらに、動力源５４１、および、伝動ユニット５４２を有する。動力源５４１は伝動ユニット５４２と接続し、伝動ユニット５４２は、光源ユニット５３１と接続する。伝動ユニット５４２は、光源ユニット５３１を平行方向Ｘに沿って移動させる。一実施形態において、動力源５４１、および、伝動ユニット５４２はステッピングモーターに属する。
【００３３】
図３Ａ、および、図４Ｂを併せて参照する。一実施形態において、第一圧力供給モジュール３は、メイン陽圧ポンプ３１、および、メイン陰圧ポンプ３２を有し、第二圧力供給モジュール６は、サブ陽圧ポンプ６１、および、サブ陰圧ポンプ６２を有する。
【００３４】
一実施形態において、サブ陽圧ポンプ６１、および、サブ陰圧ポンプ６２は、微小電気機械ポンプである。
【００３５】
図３Ａ、および、図４Ｂを併せて参照すると、一実施形態において、メイン陽圧ポンプ３１は、３０ｋｐａより大きい第一圧力を提供する。メイン陰圧ポンプ３２は、-６０ｋｐａより小さい第二圧力を提供する。サブ陽圧ポンプ６１は、１０ｋｐａより小さい第三圧力を提供し、サブ陰圧ポンプ６２は、-１０ｋｐａより大きい第四圧力を提供する。
【００３６】
図６は、本考案のアナライザーの部分構造を示すブロック図である。図４Ｂと図６を参照すると、一実施形態において、アナライザーは、さらに、流量計９１、圧力計９２、緩衝チャンバ９３を有する。圧力分配モジュール７は、チャネル７１、および、分配電磁弁７２を有する。分配電磁弁７２は、チャネル７１とノズルユニット８の間に設置され、緩衝チャンバ９３は、チャネル７１と圧力計９２の間に設置される。緩衝チャンバ９３は流量計９１に連通する。流量計９１の設計は、カセットＣに加えられる圧力を精確に制御することができる。
【００３７】
図７Ａを参照すると、一実施形態において、アナライザーカバー２は、さらに、複数の凸柱２２を有する。凸柱２２は、ノズルユニット８に隣接するとともに、カセットＣに当接する。図７Ｂ〜図７Ｄを参照すると、アナライザーカバー２は、さらに、グリップ２３を有する。カセットＣがアナライザーＡ中に置かれて、抽出実行時、ノズルユニット８はカセットＣと接続し、このとき、グリップ２３は第一グリップ位置にある(図７Ｂ)。使用者がカセットＣを取り出したい時、まず、グリップ２３を第二グリップ位置に回転させて、ノズルユニット８を起こし、ノズルユニット８にカセットＣを脱離させ、このとき、凸柱２２がカセットＣを押さえて、カセットＣがノズルユニット８に伴って起こされるのを防止するとともに、ノズルユニット８にカセットＣを円滑に脱離させる(図７Ｃ)。最後に、使用者は、アナライザーカバー２を開いて、カセットＣを取り出す。
【００３８】
本考案の実施形態において、第一圧力供給モジュール、第二圧力供給モジュール、圧力分配モジュール、および、ノズルユニットにより、カセットに圧力を提供するとともに、第一加熱器により、カセットを加熱して、カセット内のサンプルのＤＮＡ抽出を完成させるとともに、分析のための核酸液を提供する。続いて、分析モジュールにより、核酸液に加熱を繰り返すとともに、光学分析を実行する。本考案の実施形態によるアナライザーを応用すると、単一設備内で、ＤＮＡ抽出と分析の作業を完成させることができ、アナライザーのサイズが減少し、コストも減少する。抽出設備を操作する者が容易に培養できる。且つ、単一設備内でＤＮＡ抽出と分析の作業が終了するので、核酸液が汚染される可能性が低い。
【００３９】
図１Ａを参照すると、一実施形態において、アナライザーカバー２上に、操作インターフェース２１を設置し、操作インターフェース２１によって、作業者が、簡単に、サンプル分析の仕事を完了できる。操作インターフェース２１は、タッチパネル、あるいは、その他の装置である。
【００４０】
本考案では好ましい実施例を前述の通り開示したが、これらは決して本考案に限定するものではなく、当該技術を熟知する者なら誰でも、本考案の思想を脱しない範囲内で各種の変形を加えることができる。
【符号の説明】
【００４１】
Ａ…アナライザー
Ｃ…カセット
１…アナライザーハウジング
１１…散熱領域
１２…分析領域
１３…スロット
１４…仕切り
１４１…仕切り開口
２…アナライザーカバー
２１…操作インターフェース
２２…凸柱
２３…グリップ
３…第一圧力供給モジュール
３１…メイン陽圧ポンプ
３２…メイン陰圧ポンプ
４１…散熱モジュール
４２…ファン
４０１…気流
５…分析モジュール
５１１…第一加熱器
５１２…第二加熱器
５２…分析ベース
５３１…光源ユニット
５３２…受光ユニット
５３３…回路板
５３４…演算増幅器
５３５…金属カバー
５４１…動力源
５４２…伝動ユニット
６…第二圧力供給モジュール
６１…サブ陽圧ポンプ
６２…サブ陰圧ポンプ
７…圧力分配モジュール
７１…チャネル
７２…分配電磁弁
８…ノズルユニット
９１…流量計
９２…圧力計
９３…緩衝チャンバ
Ｘ…平行方向
【図１Ａ】
0003220459.tif 000003
【図１Ｂ】
0003220459.tif 000004
【図２】
0003220459.tif 000005
【図３Ａ】
0003220459.tif 000006
【図３Ｂ】
0003220459.tif 000007
【図４Ａ】
0003220459.tif 000008
【図４Ｂ】
0003220459.tif 000009
【図５Ａ】
0003220459.tif 000010
【図５Ｂ】
0003220459.tif 000011
【図６】
0003220459.tif 000012
【図７Ａ】
0003220459.tif 000013
【図７Ｂ】
0003220459.tif 000014
【図７Ｃ】
0003220459.tif 000015
【図７Ｄ】
0003220459.tif 000016